(57)【要約】【課題】蓄積済みコンテンツの中から蓄積有効期限前の不要なコンテンツを検出し、一括削除する。【解決手段】蓄積有効期限、シリーズ情報、コンテンツ契約情報に基づいて蓄積装置５に蓄積されたコンテンツから、削除候補とするコンテンツを検出するコンテンツ削除制御処理部４を備え、コンテンツ削除制御処理部４は、シリーズ情報を用いてシリーズコンテンツを検出し、かつ、検出したシリーズコンテンツのうち、所定のコンテンツの視聴を可能とする契約を行っていない場合であり、コンテンツの蓄積有効期限が切れている場合に、シリーズコンテンツを削除候補として検出する。【選択図】図１
2010063041.tif 000002
【特許請求の範囲】
【請求項１】
サーバー型放送のコンテンツを蓄積し、再生の時に課金するサーバー型放送の放送受信装置であって、
サーバー型放送で放送されたコンテンツを蓄積する蓄積手段と、
サーバー型放送で送信される番組配列情報から、前記蓄積手段に蓄積された前記コンテンツの蓄積有効期限と、複数のコンテンツから構成されるシリーズコンテンツを識別するための情報であるシリーズ情報と、コンテンツ契約情報を取得する属性取得手段と、
前記蓄積有効期限、前記シリーズ情報、前記コンテンツ契約情報に基づいて前記蓄積手段に蓄積されたコンテンツから、削除候補とするコンテンツを検出する検出手段と、
前記検出手段で検出した削除候補のコンテンツを提示する提示手段と、
を備え、
前記検出手段は、前記シリーズ情報を用いてシリーズコンテンツを検出し、かつ、検出したシリーズコンテンツのうち、所定のコンテンツの視聴を可能とする契約を行っていない場合であり、当該コンテンツの蓄積有効期限が切れている場合に、前記シリーズコンテンツを削除候補として検出することを特徴とする放送受信装置。
【請求項２】
前記検出手段は、検出した前記削除候補のコンテンツのリストを作成し、前記提示手段が、前記削除候補のリストを表示させることを特徴とする請求項１記載の放送受信装置。
【請求項３】
前記削除候補のコンテンツを一括削除するコンテンツ削除手段と、
前記コンテンツ削除手段に対する削除指示をユーザーに実行させる実行手段と、を有する請求項１又は２いずれかに記載の放送受信装置。
【請求項４】
サーバー型放送のコンテンツを蓄積し、再生の時に課金するサーバー型放送の放送受信方法であって、
サーバー型放送で放送されたコンテンツを蓄積する工程と、
サーバー型放送で送信される番組配列情報から、蓄積された前記コンテンツの蓄積有効期限と、複数のコンテンツから構成されるシリーズコンテンツを識別するための情報であるシリーズ情報と、コンテンツ契約情報を取得する工程と、
前記蓄積有効期限、前記シリーズ情報、前記コンテンツ契約情報に基づいて、蓄積された前記コンテンツから、削除候補とするコンテンツを検出する工程と、
検出した削除候補のコンテンツを提示する工程と、
を備え、
前記シリーズ情報を用いてシリーズコンテンツを検出し、かつ、検出したシリーズコンテンツのうち、所定のコンテンツの視聴を可能とする契約を行っていない場合であり、当該コンテンツの蓄積有効期限が切れている場合に、前記シリーズコンテンツを削除候補として検出することを特徴とする放送受信方法。
【発明の詳細な説明】
【技術分野】
【０００１】
本発明は、サーバー型放送、特に、タイムシフト視聴サービスにおいて、不要なコンテンツの一括削除処理を可能とする放送受信装置に関する。
【背景技術】
【０００２】
サーバー型放送におけるサービスとして「タイムシフト視聴サービス」が知られている。これは、未契約者でも有料放送の蓄積を可能とし、実際には、視聴者が再生しようとしたときに、初めて、課金をするサービスである。このようなタイムシフトサービスでは、ユーザーにとって不要なコンテンツが蓄積される可能性があり、蓄積装置内の不要なコンテンツによって蓄積領域の不足が発生しやすくなる。このため、蓄積領域確保のために不要なコンテンツを削除することが必要になる。
【０００３】
蓄積済みの不要なコンテンツを優先的に削除する方法としては、コンテンツに消去優先度を付加して削除処理するものがある。これは、今後の放送予定などから優先付けを行って削除処理を行うものである（例えば、特許文献１参照）。
また、サーバー型放送に関し、蓄積済みの未購入コンテンツを購入前に削除する方法も知られている。これは、現在時刻が蓄積有効期限を経過していた場合に、コンテンツおよびコンテンツ情報を自動的に削除するものである（例えば、特許文献２参照）。
【特許文献１】特開２００７−０８１６７０号公報
【特許文献２】特開２００２−０３４０１７号公報
【発明の開示】
【発明が解決しようとする課題】
【０００４】
しかしながら、特許文献１の方法により不要なコンテンツを削除する場合は、不要コンテンツの今後の放送予定があることが必要であり、また、特許文献２の方法により不要なコンテンツを削除する場合は、蓄積有効期限を経過することが必要となる。したがって、不要コンテンツの放送予定がない場合、又は、蓄積有効期限前に削除したい場合には、ユーザーが蓄積装置内の不要なコンテンツを選択して手動にて削除する必要があり、そのためにユーザーの負担が大きくなる。
そこで、本発明は、蓄積済みコンテンツの中から蓄積有効期限前の不要なコンテンツを検出し、一括削除することにより、不要コンテンツの放送予定を必要とせずに、蓄積有効期限以前の削除を可能にすることを目的とする。
【課題を解決するための手段】
【０００５】
本発明は、上述した課題を解決するため、サーバー型放送のコンテンツを蓄積し、再生時に課金するサーバー型放送の放送受信装置であって、サーバー型放送で放送されたコンテンツを蓄積する蓄積手段と、サーバー型放送で送信される番組配列情報から、蓄積手段に蓄積されたコンテンツの蓄積有効期限と、複数のコンテンツから構成されるシリーズコンテンツを識別するための情報であるシリーズ情報と、コンテンツ契約情報を取得する属性取得手段と、蓄積有効期限、シリーズ情報、コンテンツ契約情報に基づいて蓄積手段に蓄積されたコンテンツから、削除候補とするコンテンツを検出する検出手段と、検出手段で検出した削除候補のコンテンツを提示する提示手段と、を備え、検出手段は、シリーズ情報を用いてシリーズコンテンツを検出し、かつ、検出したシリーズコンテンツのうち、所定のコンテンツを視聴可能とする契約を行っていない場合であり、当該コンテンツの蓄積有効期限が切れている場合に、シリーズコンテンツを削除候補として検出することを特徴とする。
また、本発明は、サーバー型放送のコンテンツを蓄積し、再生時に課金するサーバー型放送の放送受信方法であって、サーバー型放送で放送されたコンテンツを蓄積する工程と、サーバー型放送で送信される番組配列情報から、蓄積されたコンテンツの蓄積有効期限と、複数のコンテンツから構成されるシリーズコンテンツを識別するための情報であるシリーズ情報と、コンテンツ契約情報を取得する工程と、蓄積有効期限、シリーズ情報、コンテンツ契約情報に基づいて、蓄積されたコンテンツから、削除候補とするコンテンツを検出する工程と、検出した削除候補のコンテンツを提示する工程と、を備え、シリーズ情報を用いてシリーズコンテンツを検出し、かつ、検出したシリーズコンテンツのうち、所定のコンテンツを視聴可能とする契約を行っていない場合であり、当該コンテンツの蓄積有効期限が切れている場合に、シリーズコンテンツを削除候補として検出することを特徴とする。
【発明の効果】
【０００６】
本発明によれば、不要なコンテンツの放送予定を必要とせずに、蓄積有効期限以前のコンテンツを削除することができる。
【発明を実施するための最良の形態】
【０００７】
以下、添付図面を参照して本発明の実施の形態を説明する。
（実施形態１）
【０００８】
この実施形態では、サーバー型放送における「タイムシフト視聴サービス」において、蓄積済みのコンテンツの中からユーザーにとって不要なコンテンツを一括削除する放送受信装置について説明する。
【０００９】
図１は本実施形態に係る放送受信装置のブロック図であり、１はサーバー型放送を受信する放送受信装置である。
【００１０】
放送受信装置は、チューナー部２、コンテンツの属性取得手段としての番組配列情報取得部３、削除候補の検出手段及びコンテンツの削除指示に基づく実行手段としてのコンテンツ削除制御処理部４、蓄積手段としての蓄積装置５、同一シリーズＩＤ検出部６を備えている。放送受信装置は、また、トランスポートストリーム（Ｔｒａｎｓｐｏｒｔ  Ｓｔｒｅａｍ）多重分離処理部（以下、ＴＳ多重分離処理部という）７、限定再生処理部８、課金制御処理部９、提示手段としての映像音声出力装置１０を備える。
【００１１】
チューナー部２は、放送波を受信し、受信データ、すなわち、サーバー型放送における映像音声のコンテンツをＴＳ多重分離処理部７に送信する。
【００１２】
ＴＳ多重分離処理部７は、受信したコンテンツに対してＴＳ多重分離処理を行う。
【００１３】
蓄積装置５は、大容量のストレージ、例えば、ハードディスクからなり、サーバー型放送により取得したコンテンツを順次、蓄積する。また、チューナー部２は、受信した放送波を映像音声出力装置１０、具体的には、放送受信装置に接続されているテレビジョンに出力する。
【００１４】
映像音声出力装置１０は、映像と音声とを出力する。
【００１５】
番組配列情報取得部３は、ＴＳ多重分離処理部７からコンテンツの番組配列情報（ＳＩ：Ｓｅｒｖｉｃｅ  Ｉｎｆｏｒｍａｔｉｏｎ）を取得する。番組配列情報取得部３は、番組配列情報からコンテンツの属性情報（メタデータ）であるｓｅｒｉｅｓ＿ｉｄと、ｅｐｉｓｏｄｅ＿ｎｕｍｂｅｒ、Ｅｘｐｉｒｅ記述子とを取得する。
【００１６】
ここで、番組配列情報（ＳＩ：Ｓｅｒｖｉｃｅ  Ｉｎｆｏｒｍａｔｉｏｎ）とは、放送データストリームの分配システム、内容、スケジュール／タイミングなどを記述するデジタルデータである。ＳＩは番組選択の利便性のために規定された各種情報（ＩＳＯ／ＩＥＣ１３８１８−１でユーザー定義可能として開放された領域を使って、（社）電波産業会において制定された規格（ＡＲＩＢ規格））に定義されている。このＳＩは、ＴＳの中に多重され、受信機に対してＥＰＧ（Electric Program Guide：電子化されたテレビ番組表）などの情報を提供する属性情報（メタデータ）である。
【００１７】
また、ｓｅｒｉｅｓ＿ｉｄ（シリーズ記述子）は、複数のコンテンツから構成されるシリーズコンテンツであるシリーズ番組を識別するための属性情報である。ｅｐｉｓｏｄｅ＿ｎｕｍｂｅｒ（シリーズ記述子の識別子）は、シリーズ内の話数を示す属性情報である。Ｅｘｐｉｒｅ記述子は、コンテンツ、具体的には、コンテンツのオブジェクトの蓄積有効期限を示す属性情報である。
【００１８】
受信したコンテンツがシリーズ番組に属しているかどうかは、ｓｅｒｉｅｓ＿ｉｄとｅｐｉｓｏｄｅ＿ｎｕｍｂｅｒとによって識別することができる。また、Ｅｘｐｉｒｅ記述子を利用することで、コンテンツ毎に蓄積有効期限を判定することができる。
【００１９】
同一シリーズＩＤ検出部６は、サーバー型放送において蓄積装置５に蓄積されたコンテンツの中から同一シリーズを示すシリーズＩＤのコンテンツを検索し、検索結果をコンテンツの削除手段としてのコンテンツ削除制御処理部４に出力する。
【００２０】
コンテンツ削除制御処理部４は、番組配列情報取得部３から得た前述の情報を用いて、蓄積装置５に蓄積されているコンテンツの中から削除候補となりうる同一シリーズのコンテンツを検出して削除候補リストを作成する。コンテンツ削除制御処理部４は、リストを提示手段としての映像音声出力装置１０を介してユーザーに提示する。また、コンテンツ削除制御処理部４は、ユーザーに、削除候補リストに表示されたコンテンツの削除と削除のキャンセルとを選択させるため、削除を実行させる実行手段としての削除ボタン（図示せず）を映像音声出力装置１０の画面上に表示させる。また、コンテンツ削除制御処理部４は、削除をキャンセルする実行手段としてのキャンセルボタン（図示せず）を映像音声出力装置１０の画面上に表示させる。削除ボタンは、押下されたときに、コンテンツ削除制御処理部４に対して削除候補リストのコンテンツを一括削除させる削除指示を送信する。キャンセルボタンは、押下されたときに、コンテンツ削除制御処理部４に対して削除候補リストのコンテンツの一括削除を禁止させる指示を送信する。なお、本実施形態のコンテンツ削除制御処理部４は、コンテンツの有効期限が切れても自動的に削除しないように制御されている。
【００２１】
課金制御処理部９は、Ｂ−ＣＡＳカード等の放送受信装置に接続しているＩＣカードに記録されたサーバー放送の契約情報を参照し、この契約情報を限定再生処理部８に転送する。
【００２２】
限定再生処理部８は、ユーザーが再生する時に、課金制御処理部９からの契約情報に基づいて蓄積装置５に蓄積されているコンテンツの再生又は視聴を可能とする処理を行う。
【００２３】
図２は前記放送受信装置の処理フローの全体を示す。
【００２４】
ステップＳ２０１では放送受信装置がサーバー型放送の「タイムシフト視聴サービス」において受信したコンテンツを、蓄積装置５に蓄積する（タイムシフト視聴サービスデータ蓄積処理）。
【００２５】
ステップＳ２０２では、コンテンツ削除制御処理部４がコンテンツの蓄積後に蓄積装置５の蓄積可能な領域と閾値とを比較し、蓄積装置５の蓄積領域、すなわち、空き容量が閾値以下か否かを判定する（蓄積装置容量判定処理）。ステップＳ２０２で、判定の結果が、蓄積装置５の空き容量が閾値以下となると、ステップＳ２０３に進む。
【００２６】
ステップＳ２０３では、ユーザーに不要なコンテンツの削除を促すため、まず、削除候補コンテンツの検索を行い（検索処理）、次に、蓄積装置５の不要コンテンツの削除処理を行う。なお、ステップＳ２０３において、閾値の大きさは、ユーザーが決定するようにしてもよいし、放送受信装置のデータ容量管理部（図示せず）が決定するようにしてもよい。
【００２７】
図３は不要コンテンツの削除処理の一例を示す。この削除処理では、まず、蓄積装置５のユーザーにとって不要な同一シリーズのコンテンツを判別し、これを蓄積有効期限前に一括削除する。
【００２８】
ステップＳ３０１では、シリーズＩＤが同一の同一シリーズの不要なコンテンツを削除するため、番組配列情報取得部３が、番組配列情報からコンテンツのｓｅｒｉｅｓ＿ｉｄを取得する。
【００２９】
ステップＳ３０２では、同一シリーズＩＤ検出部６が蓄積装置５をステップＳ３０１で取得したｓｅｒｉｅｓ＿ｉｄと同じｓｅｒｉｅｓ＿ｉｄを用いて検索する。検索を終了すると、ステップＳ３０３に進む。
【００３０】
ステップＳ３０３では同一シリーズＩＤ検出部６がｓｅｒｉｅｓ＿ｉｄの検索結果に基づいて同一シリーズのコンテンツがあるか否かを判定する。
【００３１】
ステップＳ３０３において、同一シリーズのコンテンツが存在しない場合、ステップＳ３０１に戻って同一シリーズＩＤ検出部６が別のシリーズのコンテンツが存在するか否かを検索する。同一シリーズのコンテンツが存在する場合は、ステップＳ３０４へと移行する。
【００３２】
ステップＳ３０４では、コンテンツ削除制御処理部４が、ステップＳ３０３で検索した同一シリーズのコンテンツに対するＩＣカードの契約情報を参照する。
【００３３】
ステップＳ３０５では、コンテンツ削除制御処理部４がステップＳ３０３で検索した同一シリーズのコンテンツに対してユーザーの契約の有無を判定する。判定の結果、ユーザーが、コンテンツに対して契約している場合は、必要なコンテンツであり、削除が不可能であると見做してステップＳ３０１からステップＳ３０５の処理を繰り返す。
【００３４】
ステップＳ３０５の判定の結果、ユーザーが未契約の場合は、このシリーズのコンテンツが不要なコンテンツであり、削除可能であると見做してステップＳ３０６に進む。
【００３５】
ステップＳ３０６では、コンテンツ削除制御処理部４が番組配列情報取得部３の番組配列情報から得たｅｐｉｓｏｄｅ＿ｎｕｍｂｅｒを用いて、蓄積装置５の中の同一シリーズについての初回コンテンツを検索してステップＳ３０７に移行する。
【００３６】
ステップＳ３０７では、ステップＳ３０４と同様、初回コンテンツの契約状況を参照し、ステップＳ３０８に移行する。
【００３７】
ステップＳ３０８では、コンテンツ削除制御処理部４が蓄積装置５に蓄積された初回コンテンツのＥｘｐｉｒｅ記述子を参照し、蓄積有効期限が切れているか否かを判定する。初回コンテンツの蓄積有効期限が切れていない場合は、このシリーズのコンテンツの削除はできないものと見做してステップＳ３０１に戻る。
ステップＳ３０８で、初回コンテンツの蓄積期限が切れている場合、コンテンツ削除制御処理部４がこのシリーズについてのコンテンツの一括削除が可能であると見做して、ステップＳ３０９に移行する。
【００３８】
ステップＳ３０９では、コンテンツ削除制御処理部４が当該シリーズのコンテンツの全てを削除候補リストへ記載、すなわち、格納し、ステップＳ３１０に移行する。
【００３９】
図４は同一シリーズコンテンツ一括削除処理フローの一例を示す。
【００４０】
ステップＳ４０１では、コンテンツ削除制御処理部４が削除候補リストを映像音声出力装置１０に出力し、ユーザーへ提示する。
【００４１】
ステップＳ４０２では、同一シリーズのコンテンツを、一括削除するか否かをユーザーが判断する。このステップＳ４０２において、ユーザーがリモコン等の選択装置により削除ボタンを押下し、一括削除を承認した場合は、ステップＳ４０３でコンテンツ削除制御処理部４が蓄積装置５の中にある当該シリーズの全コンテンツを一括削除する。
【００４２】
本実施形態によれば、サーバー型放送における「タイムシフト視聴サービス」において、番組配列情報のシリーズ記述子とＥｘｐｉｒｅ記述子とコンテンツ契約情報を用いて、蓄積装置５内の蓄積有効期限前のコンテンツを削除候補リストに入れる。これにより、不要なコンテンツの一括削除が可能となり、不要コンテンツの放送予定を必要とせずに、蓄積有効期限以前に削除することが可能であると共に蓄積装置５の蓄積領域を確保することができる。
【００４３】
（実施形態２）
実施形態１では蓄積有効期限にコンテンツの削除が行われない場合の一括削除について説明したが、放送受信装置によっては、蓄積有効期限で蓄積装置５に蓄積されたコンテンツが削除される場合と削除されない場合とが発生する。このため、この実施形態では、蓄積有効期限に達したコンテンツが、自動的に削除される仕組みの場合について説明する。なお、放送受信装置の構成、処理フロー全体、同一シリーズコンテンツについての一括削除処理フローは、実施形態１と同様であるので、削除候補コンテンツの検索処理フローについて詳述する。
【００４４】
図５は実施形態２に係る削除候補コンテンツの検索処理フローの一例を示す。
ステップＳ５０１では、番組配列情報取得部３が当該コンテンツのｓｅｒｉｅｓ＿ｉｄを取得する。これは、同一のコンテンツを削除する際にｓｅｒｉｅｓ＿ｉｄが必要となるためである。コンテンツのｓｅｒｉｅｓ＿ｉｄを取得すると、ステップＳ５０２に進む。
【００４５】
ステップＳ５０２では、同一シリーズＩＤ検出部６が蓄積装置５の中に同じｓｅｒｉｅｓ＿ｉｄを持つコンテンツの有無について検索を行う。これは、同一シリーズのコンテンツを検出し、一括削除できるようにするためである。同一シリーズのコンテンツが検索された場合は、ステップＳ５０４へ移行する。
【００４６】
ステップＳ５０４は、コンテンツ削除制御処理部４がこのシリーズのコンテンツの契約状況を参照し、ステップＳ５０５に進む。
【００４７】
ステップＳ５０５では、コンテンツ削除制御処理部４が課金制御処理部９からこのシリーズのコンテンツに対するＩＣカードの契約情報を参照し、シリーズ購入しているか否かを判定する。契約していない場合は、ステップＳ５０６の処理へ移行し、契約している場合は、ステップＳ場合は、実施形態１と同様にステップＳ５０１に戻る。
【００４８】
ステップＳ５０６では、コンテンツ削除制御処理部４が番組配列情報取得部３から得たｅｐｉｓｏｄｅ＿ｎｕｍｂｅｒを用いて、蓄積装置５の中の同シリーズ初回コンテンツを検索してステップＳ５０７に進む。
【００４９】
ステップＳ５０７は、番組配列情報取得部３から得たｅｐｉｓｏｄｅ＿ｎｕｍｂｅｒを参照して、蓄積装置５の中に同シリーズ初回のコンテンツが存在するかを調査する。既に蓄積装置５から削除されている場合は、ステップＳ５０８へ移行する。つまり、契約されていないシリーズコンテンツのうち、初回のコンテンツが削除されているシリーズコンテンツ群は視聴される可能性が低い。
【００５０】
そこで、ステップＳ５０８では、ステップＳ３０９と同様にコンテンツ削除制御処理部４が当該シリーズのコンテンツ全てを削除候補リストへ格納ステップＳ５０９に進む。
【００５１】
ステップＳ５０９では、ステップＳ３１０と同様、コンテンツ削除制御処理部４が削除候補リストを映像音声出力装置１０に出力して画面に表示させる。ステップＳ５１０では、コンテンツ削除制御処理部４が、図４にて説明したように、同一シリーズコンテンツ一括削除処理を実行する。
従って、この実施の形態でも、蓄積装置５に蓄積されている不要な同一シリーズのコンテンツを削除でき、サーバー放送のデータを空き領域に対して蓄積することができる。
なお、実施形態１及び実施形態２では、初回のコンテンツの契約状態を判定していたが、本発明は初回のコンテンツの契約状態の判定に限定されるものではなく、例えば、シリーズ２話目のコンテンツなど、所定のコンテンツの契約状態で判定することが可能である。
【図面の簡単な説明】
【００５２】
【図１】本発明の放送受信装置の概略構成を示すブロック図である。
【図２】本発明の実施の形態に係る放送受信装置の処理全体の流れを示すフローチャートである。
【図３】本発明の実施形態１に係る削除候補コンテンツ検索処理を示すフローチャートである。
【図４】本発明の同一シリーズコンテンツ一括削除処理を示すフローチャートである。
【図５】本発明の実施形態２に係る削除候補コンテンツ検索処理を示すフローチャートである。
【符号の説明】
【００５３】
１  放送受信装置
２  チューナー部
３  番組配列情報取得部（属性取得手段）
４  コンテンツ削除制御処理部（削除候補の検出手段）
５  蓄積装置（蓄積手段）
６  同一シリーズＩＤ検出部
７  ＴＳ多重分離処理部
８  限定再生処理部（デスクランブル）
９  課金制御処理部（限定再生用）
１０  映像音声出力装置
【図１】
2010063041.tif 000003
【図２】
2010063041.tif 000004
【図３】
2010063041.tif 000005
【図４】
2010063041.tif 000006
【図５】
2010063041.tif 000007